(57)【特許請求の範囲】
【請求項１】
操作ハンドル及び表示部を備えた水栓において、
水栓本体を覆う状態でカバーを設けて、該カバーに前記表示部として水路を示す水路表示部を設けるとともに、該カバーから突出する状態で吐水口，シャワー水出口及び操作ハンドルを設け、該操作ハンドルと該吐水口又は該シャワー水出口とを結ぶ形態で該水路表示部を設けたことを特徴とする水栓。
【請求項２】
請求項１において、前記吐水口及びシャワー水出口が前記操作ハンドルを基準として何れも同じ側に配置されていることを特徴とする水栓。
【発明の詳細な説明】
【０００１】
【発明の属する技術分野】
この発明は水栓に関し、詳しくは表示部に特徴を有する水栓に関する。
【０００２】
【従来の技術及び発明が解決しようとする課題】
従来、水栓の操作ハンドルの操作状態ないし操作方向を表示するものとして、オン・オフ表示や、吐水・止水，シャワー・カラン等の状態を表示するものや、矢印を用いて操作方向を表示するものなどが知られている。
【０００３】
従来の水栓の場合、一般に吐水口やシャワーエルボ等のシャワー水出口の位置が明確であるとともに、それら吐水口，シャワー水出口が操作ハンドルに対して互いに反対側にあるなどして操作ハンドルの操作方向、即ち操作ハンドルをどちらに回したら吐水口側になるか、或いはシャワー水出口側になるかが明確であり、操作ハンドルの操作方向，操作性が特に問題とはなっていなかった。
【０００４】
しかしながらこのようにどこから水が出るのかが一目で分かるような水栓に対して、最近は水栓本体をカバーで覆った形態のカバー式水栓が開発されており、而してかかるカバー式水栓の中には一見して吐水口の位置が分かり難いものがあり、水がどの位置から出るのかが分かりづらかったり、或いは操作ハンドルをどのように操作すれば良いのかが分かりづらいといった問題がある。
或いはまた、吐水口とシャワー水出口とが操作ハンドルを基準として同じ側にあったりすると、同様に操作ハンドルの操作方向が分かりづらいといった問題が生ずる。
【０００５】
【課題を解決するための手段】
本願の発明はこのような課題を解決するために案出されたものである。
而して請求項１の水栓は、操作ハンドル及び表示部を備えた水栓において、水栓本体を覆う状態でカバーを設けて、該カバーに前記表示部として水路を示す水路表示部を設けるとともに、該カバーから突出する状態で吐水口，シャワー水出口及び操作ハンドルを設け、該操作ハンドルと該吐水口又は該シャワー水出口とを結ぶ形態で該水路表示部を設けたことを特徴とする。
【０００６】
請求項２の水栓は、請求項１において、前記吐水口及びシャワー水出口が前記操作ハンドルを基準として何れも同じ側に配置されていることを特徴とする。
【０００７】
【作用及び発明の効果】
上記のように請求項１の水栓は、表示部として水路を示す水路表示部を設けたもので、このようにすれば、例えば吐水口の位置が分かりづらい形態の水栓であっても、水路表示部の水路表示によって水の出口が一目で分かるようになる。またその水路表示部を、操作ハンドルの操作方向を表示する形態で設けておけば、吐水口等の位置が分かりづらい場合であってもハンドルの操作方向が一目見て理解でき、操作性を良好となすことができる。
尚この場合において、凹凸を付けて水路を表示するようになすことが望ましい。このようにすれば、視覚のみならず触覚によっても水の出口或いは操作ハンドルの操作方向が分かるようになり、好都合である。
【０００８】
前述したように水栓本体をカバーで覆った形態のカバー式水栓において特に水の出口やハンドルの操作方向が分かりづらい問題があり、従って本発明はかかるカバー式水栓に適用して特に効果が大きい。
この場合において操作ハンドルと吐水口或いはシャワー水出口とを結ぶような形態で水路表示部を設けておくことにより、吐水口，シャワー水出口等の水の出口が一目で分かるとともに、操作ハンドルをどちらに回せば水が吐水口に導かれるか、或いはシャワー水出口に導かれるかが一目で感覚的に分かるようになり、ハンドルの操作性が著しく良好となって操作ハンドルの誤操作を防止することができる。
【０００９】
本発明は、操作ハンドルを基準として吐水口及びシャワー水出口が何れも同じ側に配置されている場合に適用して特に効果が大きい（請求項２）。
このように吐水口及びシャワー水出口が操作ハンドルを基準として同じ側に配置されている場合、このような水路表示部を設けないと操作ハンドルの操作方向が分かりづらい問題があるが、かかる水路表示部を設けることによって、これら吐水口及びシャワー水出口が同じ側にあっても操作ハンドルの操作方向が一目で分かるようになる。
【００１０】
換言すれば、このような水路表示部を設けることによって、吐水口やシャワー水出口の配置の自由度が高まる利点が得られる。
【００１１】
【実施例】
次に本発明の実施例を図面に基づいて詳しく説明する。
図１において、１０は床面（又はカウンター面）１２から直立する状態で設けられたカバー式水栓であって、水栓本体を隠蔽状態で内部に収容するカバー１４を備えている。
１６はカバー１４の一部をなす前面板であって、この前面板１６から前方斜め上方に突出する状態で温調ハンドル（温度調節ハンドル）１７が設けられている。
【００１２】
更にケース１４の右側面から切替ハンドル（操作ハンドル）１８が右方に突出する状態で設けられており、またケース１４の反対側の左側面にはシャワーエルボ２０が左側方に突出する状態で設けられている。そしてこのシャワーエルボ２０に対して、シャワーヘッドに繋がるシャワーホース２２が接続されている。
【００１３】
更に前面板１６の直下且つ左右方向中間位置において、吐水口２４がケース１４から僅かに露出する状態で下向きに設けられている。
【００１４】
上記温調ハンドル１７は、吐水口２４又はシャワーヘッドに供給する混合水の温度を設定ないしは変更操作するもので、前面板１６にはその温調ハンドル１７の外周部に沿って温度表示を行うための温度表示部２６が設けられている。
【００１５】
一方切替ハンドル１８は、混合水の供給先を吐水口２４からシャワーエルボ２０の側に若しくはその逆に切替操作し、或いは止水・吐水の切替操作を行うもので、前面板１６にはその切替ハンドル１８の操作のための吐水表示部２８が設けられている。
【００１６】
この吐水表示部２８は、水路表示部３０，３２と、止水位置を表示する止水表示部３４とから成っている。
水路表示部３０は、切替ハンドル１８をこの水路表示部３０側に切替操作したときに混合水が吐水口２４から吐水されることを表示するもので、切替ハンドル１８と吐水口２４とを結ぶ形態で実線で表示してある。
【００１７】
一方水路表示部３２は、切替ハンドル１８をこちら側、即ち水路表示部３２側に切替操作したときに混合水がシャワーヘッドへと導かれることを表示するもので、ケース１４から突き出したシャワー水出口としてのシャワーエルボ２０と切替ハンドル１８とを結ぶ形態で、且つシャワー水を連想させるように点線で表してある。
他方、切替ハンドル１８にはハンドルの現在の位置を指し示すための指示部３６が設けられている。
尚、これら水路表示部３０，３２は凹凸形状でこれを形成することも可能である。
【００１８】
本例のカバー式水栓１０は、水栓本体から送り出された混合水の出口、特に吐水口２４の位置が分かりづらく、またこの吐水口２４及びシャワー水出口であるシャワーエルボ２０が切替ハンドル１８に対して何れも左側に位置しており、それら吐水口２４及びシャワーエルボ２０の位置の違いによって、切替ハンドル１８の操作方向を判別するということが困難であるにも拘らず、前面板１６に設けた水路表示部３０，３２によって、混合水の出口が一目で分かるとともに、切替ハンドル１８の操作方向が同じく水路表示部３０，３２によって一目で分かる利点がある。
【００１９】
即ち水路表示部３０，３２によって、切替ハンドル１８を図中下側に切替操作したときに混合水が吐水口２４から吐水されることが、また逆に上側に切替操作したときには混合水がシャワーエルボ２０に導かれてシャワーヘッドから吐水されることが一目で理解できる。
このためカバー式水栓１０を使用するに際して、切替ハンドル１８の操作を誤りなく正確に、操作性良く行うことができる。
【００２０】
また本例のように水路表示部３０，３２によって切替ハンドル１８の操作方向を表示するようになした場合、吐水口２４，シャワーエルボ２０の位置に合わせるようにして切替ハンドル１８を操作する必要がないので、それら吐水口２４，シャワーエルボ２０の配置位置を自由に選定できる利点が得られる。
【００２１】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である水栓を示す図である。
【符号の説明】
１０  カバー式水栓
１４  ケース
１６  前面板
１８  切替ハンドル（操作ハンドル）
２０  シャワーエルボ（シャワー水出口）
２４  吐水口
２８  吐水表示部
３０，３２  水路表示部
３４  止水表示部
【図１】
0003639086.tif 000002